(57)【要約】【課題】動く歩道やエスカレータの移動手摺の着脱作業時に、当該移動手摺をより容易に保持する。【解決手段】移動手摺保持具１４は、移動手摺１６の装着されていない欄干１２に保持具１４を吊下するための第１のフック部２２と、第１のフック部２２の根元側に設けられ移動手摺１６を吊下するための第２のフック部２４と、を有する。この移動手摺保持具１４は、欄干１２に対して容易に着脱することができ、また移動手摺１６を容易に吊り下げることができる。【選択図】図５
2005213000.tif 000002
【特許請求の範囲】
【請求項１】
動く歩道またはエスカレータの欄干に装着される移動手摺を、その着脱作業時に一時的に保持するための移動手摺保持具であって、
移動手摺の装着されていない欄干に保持具を吊下するための第１のフック部と、
前記第１のフック部の根元側に設けられ移動手摺を吊下するための第２のフック部と、
を有する移動手摺保持具。
【請求項２】
前記第１のフック部は、欄干に吊下したときに欄干の上面および両側面にそれぞれ当接するように構成されることを特徴とする請求項１に記載の移動手摺保持具。
【請求項３】
第１のフック部の欄干との当接部に欄干を保護するための保護材が装着されることを特徴とする請求項１または２に記載の移動手摺保持具。
【発明の詳細な説明】
【技術分野】
【０００１】
本発明は、動く歩道やエスカレータの欄干に装着される移動手摺を、その着脱作業時に一時的に保持するための移動手摺保持具に関する。
【背景技術】
【０００２】
可動床と連動する移動手摺を有する動く歩道やエスカレータでは、移動手摺の補修や交換、欄干の清掃等を行う際、移動手摺を欄干から一旦取り外し、再び取り付けるという移動手摺の着脱作業を行う場合がある。
【０００３】
このとき、取り外した移動手摺が欄干から落下すると、欄干の側壁や床板等に衝突して、移動手摺の表面に傷が生じたり、欄干のガラス板等が破損する恐れがある。
【０００４】
そこで、従来より、移動手摺を一時的に保持するための移動手摺保持具が提案されている（例えば、特許文献１や特許文献２）。
【０００５】
【特許文献１】特開２００３−３４４８７号公報
【特許文献２】特開２０００−２６４５６８号公報
【発明の開示】
【発明が解決しようとする課題】
【０００６】
しかしながら、従来提案されている移動手摺保持具は、欄干に装着して移動手摺を保持可能な状態とするのに、複数のステップを要したり、あるいは両手もしくは複数人での作業を必要として、手間がかかるという問題があった。
【課題を解決するための手段】
【０００７】
本発明にかかる移動手摺保持具は、動く歩道またはエスカレータの欄干に装着される移動手摺を、その着脱作業時に一時的に保持するための移動手摺保持具であって、移動手摺の装着されていない欄干に保持具を吊下するための第１のフック部と、上記第１のフック部の根元側に設けられ移動手摺を吊下するための第２のフック部と、を有する。
【０００８】
また上記本発明にかかる移動手摺保持具では、上記第１のフック部は、欄干に吊下したときに欄干の上面および両側面にそれぞれ当接するように構成されるのが好適である。
【０００９】
また上記本発明にかかる移動手摺保持具では、上記第１のフック部の欄干との当接部に欄干を保護するための保護材が装着されるのが好適である。
【発明を実施するための最良の形態】
【００１０】
以下、本発明の好適な実施形態について図面を参照して説明する。
【００１１】
図１は、動く歩道１０の一例を示す側面図、また図２は、動く歩道１０の欄干１２の断面図（図１のＸ−Ｘ断面図）である。
【００１２】
図１の動く歩道１０は、可動床（図示せず）に連動して動く移動手摺１６を有する。移動手摺１６は、環状のベルトであり、動く歩道１０の欄干１２に設けられた案内レール１８に沿って循環する。図２に示すように、案内レール１８は欄干１２の端部（図２では上端部）に設けられており、この案内レール１８の端部の両側方に張り出す部分を囲うように移動手摺１６が装着される。図２の状態から移動手摺１６を取り外すときは、案内レール１８と移動手摺１６との間に取り外し用の治具（図示せず）を挿入し、当該治具を上方に持ち上げて案内レール１８から剥がす。こうして取り外した移動手摺１６を、移動手摺保持具１４を用いて一時的に保持する。
【００１３】
図３は、本実施形態にかかる移動手摺保持具１４の一例を示す側面図、図４は、図３の移動手摺保持具１４を欄干１２に装着する途中の状態を示す図（欄干１２は断面図）、図５は、図３の移動手摺保持具１４が欄干１２に装着された状態を示す側面図（欄干１２は断面図）、また図６は、図３の移動手摺保持具１４が欄干１２に装着された状態を示す斜視図である。
【００１４】
移動手摺保持具１４の本体２０は、例えば帯状の鋼板を折り曲げることにより、あるいは複数の帯状の鋼板を溶接することによって成形される。この移動手摺保持具１４は、移動手摺１６の装着されていない欄干１２に移動手摺保持具１４を吊下するための第１のフック部２２と、第１のフック部２２の根元側に設けられ移動手摺１６を吊下するための第２のフック部２４と、を有する。第１のフック部２２と第２のフック部２４とは相異なる方向に反っており、略Ｓ字形状を成している。
【００１５】
第１のフック部２２は、この例では、上側部材２６、上側部材２６の一端に接続される根元側部材２８、および上側部材２６の他端に接続される上側端部部材３０からなる。上側端部部材３０の先端（下端）は根元側部材２８側に折り曲げられており、折り曲げられた部分の先端と根元側部材２８との間の最短開口幅Ｌは、欄干１２の最大幅Ｄ（図２）より広くなっている。このような構成の第１のフック部２２は、まず図４の白抜き矢印に示すように、移動手摺保持具１４を傾斜させた状態で欄干１２の上方から下方に移動させ、次いで図５の白抜き矢印に示すように上側部材２６を根元側部材２８の方向に引き寄せることで、欄干１２の案内レール１８に吊下される。この作業は、一人の作業員が片手で極めて容易に実施することができる。また、欄干１２からの取り外し作業も、取り付け作業の逆の手順とすればよく、一人の作業員が片手で極めて容易に実施することができる。
【００１６】
そして、図５に示すように、第１のフック部２２が案内レール１８に吊下された状態では、上側部材２６が案内レール１８（すなわち欄干１２）の上面に当接し、根元側部材２８および上側端部部材３０が、欄干１２の両側面にそれぞれ当接する。このような構成により、移動手摺保持具１４は、欄干１２の上面および両側面の少なくとも３点において、安定的に支持されることになる。なお、第１のフック部２２の欄干１２に当接する部分には、欄干１２の当接面を保護すべく、保護材（例えばゴムシート）３４が貼り付けられている。この保護材３４は、当接する部分の摩擦係数を増大させ、移動手摺保持具１４が欄干１２から外れにくくなるという効果も奏する。
【００１７】
第２のフック部２４は、この例では、根元側部材２８、および下側部材３２からなる。下側部材３２は、第１のフック部２２と共通の構成要素としての根元側部材２８の下端から上側端部部材３０と反対の方向に、上側部材２６と略平行に伸びている。下側部材３２の先端部は上方に向けて鍵状に折り曲げられており、この下側部材３２上に、移動手摺１６が吊下される。第２のフック部２４の上側は広く開放されており、作業員はこの第２のフック部２４に極めて容易に移動手摺１６を吊下することができる。なお、第２のフック部２４の移動手摺１６との当接部には、移動手摺１６を保護すべく、保護材３４が貼り付けられている。ちなみにこの例では、この部分の保護材３４は、欄干１２の側壁に当接する部分から移動手摺１６を載置する部分までつながっている。
【００１８】
以上のような構成の移動手摺保持具１４において、下側部材３２上に移動手摺１６が載せられると、第１のフック部２２には、上側端部部材３０または上側部材２６が欄干１２に当接する部分（Ｐ１またはＰ２）を支点とする回転モーメントＭ（曲げモーメント；図５に矢印で表示）が作用する。この回転モーメントＭにより、第１のフック部２２が狭くなり、この例では根元側部材２８が欄干１２の側壁に向けて曲げられ、根元側部材２８がより確実に欄干１２の側壁に当接することになる。すなわち、上記構成によれば、移動手摺１６を第２のフック部２２に載せることで、移動手摺保持具１４は欄干１２に、より安定的に保持されるようになる。
【００１９】
以上、説明したように、本実施形態にかかる移動手摺保持具１４によれば、極めて容易に欄干１２に対して着脱することができ、また極めて容易に移動手摺１６を吊り下げることができる。また、第１のフック部２２を欄干１２の上面および両側面に当接させるように構成したので、移動手摺保持具１４が欄干１２に安定的に保持されるようになる。なお、上記実施形態では、移動手摺保持具１４を動く歩道１０に適用した場合について説明したが、エスカレータについても同様に適用可能であることは言うまでもない。
【図面の簡単な説明】
【００２０】
【図１】動く歩道の一例を示す側面図である。
【図２】図１のＸ−Ｘ断面図である。
【図３】本発明の実施形態にかかる移動手摺保持具の一例を示す側面図である。
【図４】図３の移動手摺保持具を欄干に装着する途中の状態を示す側面図である。
【図５】図３の移動手摺保持具を欄干に装着した状態を示す側面図である。
【図６】図３の移動手摺保持具を欄干に装着した状態を示す斜視図である。
【符号の説明】
【００２１】
１０  動く歩道、１２  欄干、１４  移動手摺保持具、１６  移動手摺、１８  案内レール、２０  本体、２２  第１のフック部、２４  第２のフック部、２６  上側部材、２８  根元側部材、３０  上側端部部材、３２  下側部材、３４  保護材。
【図１】
2005213000.tif 000003
【図２】
2005213000.tif 000004
【図３】
2005213000.tif 000005
【図４】
2005213000.tif 000006
【図５】
2005213000.tif 000007
【図６】
2005213000.tif 000008